(57)【要約】【課題】  特許文献１に記載の技術では、電子チケットの内部メモリに格納される利用回数値をチケット管理システムが収集した上で不正利用の有無のチェックを実施していたため、不正の検知が迅速に行えなかった。【解決手段】  データセンタは、券売機から送信される電子チケットの発券駅、購入金額を含む発券時情報を取得する取得部と、発券時情報を複数の不正利用検出装置に送信する送信部と、を備え、不正利用検出装置は、データセンタから取得した発券時情報と、不正利用検出装置に対応付けられた駅の電子チケット利用装置から取得した電子チケットの情報とを比較して不正の有無を判定する不正判定部を備える。【選択図】  図１
2015176170.tif 000002
【特許請求の範囲】
【請求項１】
駅毎又は複数駅に対応付けられて設置された不正利用検出装置と、前記不正利用検出装置に接続されたデータセンタとを含む不正利用検出システムであって、
前記データセンタは、
券売機から送信される電子チケットの発券駅、購入金額を含む発券時情報を取得する取得部と、
前記発券時情報を複数の不正利用検出装置に送信する送信部と、を備え、
前記不正利用検出装置は、
前記データセンタから取得した前記発券時情報と、前記不正利用検出装置に対応付けられた駅の電子チケット利用装置から取得した電子チケットの情報とを比較して不正の有無を判定する不正判定部を備える
ことを特徴とする不正利用検出システム。
【請求項２】
請求項１に記載の不正利用検出システムであって、
前記データセンタは、
列車の移動にかかる時間を記憶する記憶部を更に備え、
前記発券時情報には、列車の入場時刻を更に含み、
前記データセンタの前記送信部は、
前記入場時刻と、前記列の移動にかかる時間とに基づいて、利用者が乗車可能時間範囲内にある駅の前記不正利用検出装置に送信する
ことを特徴とする不正利用検出システム。
【請求項３】
請求項１に記載の不正利用検出システムであって、
前記データセンタの前記送信部は、
前記電子チケットの料金範囲外の駅の前記不正利用検出装置に前記発券時情報を送信する
ことを特徴とする不正利用検出システム。
【請求項４】
請求項１に記載の不正利用検出システムであって、
前記駅の電子チケット利用装置とは、改札機又は駅ナカ端末である
ことを特徴とする不正利用検出システム。
【請求項５】
請求項１に記載の不正利用検出システムであって、
鉄道職員が所持する端末を更に備え、
前記端末は、列車の利用者の発券時情報を取得する取得部と、
前記発券時情報を前記利用者が乗車した駅の前記不正利用検出装置に送信する送信部とを備え、
前記利用者が乗車した駅の前記不正利用検出装置は、
前記データセンタから取得した前記発券時情報と、前記端末から取得した電子チケットの情報とを比較して不正の有無を判定する不正判定部を備える
ことを特徴とする不正利用検出システム。
【請求項６】
駅毎又は複数駅に対応付けられて設置された不正利用検出装置と、前記不正利用検出装置に接続されたデータセンタとにおける不正利用検出方法であって、
前記データセンタは、
券売機から送信される電子チケットの発券駅、購入金額を含む発券時情報を取得するステップと、
前記発券時情報を複数の不正利用検出装置に送信するステップと、を備え、
前記不正利用検出装置は、
前記データセンタから取得した前記発券時情報と、前記不正利用検出装置に対応付けられた駅の電子チケット利用装置から取得した電子チケットの情報とを比較して不正の有無を判定するステップを備える
ことを特徴とする不正利用検出方法。
【請求項７】
請求項６に記載の不正利用検出方法であって、
前記データセンタは、
列車の移動にかかる時間を予め記憶し、
前記発券時情報には、列車の入場時刻を更に含み、
前記データセンタは、
前記入場時刻と、前記列の移動にかかる時間とに基づいて、利用者が乗車可能時間範囲内にある駅の前記不正利用検出装置に送信する
ことを特徴とする不正利用検出方法。
【請求項８】
請求項６に記載の不正利用検出方法であって、
前記データセンタは、
前記電子チケットの料金範囲外の駅の前記不正利用検出装置に前記発券時情報を送信する
ことを特徴とする不正利用検出方法。
【請求項９】
請求項８に記載の不正利用検出方法であって、
前記駅の電子チケット利用装置とは、改札機又は駅ナカ端末である
ことを特徴とする不正利用検出方法。
【請求項１０】
請求項６に記載の不正利用検出方法であって、
鉄道職員が所持する端末は、
前記端末は、列車の利用者の発券時情報を取得するステップと、
前記発券時情報を前記利用者が乗車した駅の前記不正利用検出装置に送信するステップとを更に備え、
前記利用者が乗車した駅の前記不正利用検出装置は、
前記データセンタから取得した前記発券時情報と、前記端末から取得した電子チケットの情報とを比較して不正の有無を判定する
ことを特徴とする不正利用検出方法。
【発明の詳細な説明】
【技術分野】
【０００１】
本発明は、電子チケットの不正検及び方法に関する。
【背景技術】
【０００２】
本技術分野の背景技術として、特許文献１に記載の技術がある。特許文献１には、チケット媒体に固有のＩＤ番号と、チケット媒体に対し特急券や座席指定券などの交通チケットを交付する場合に、個々の交通チケットに対して固有のＩＤ番号（チケットＩＤ）とを付与しておき、利用者がチケット利用端末を使用する際に、電子チケットの内部メモリに格納される利用回数値を更新し、チケット利用端末からチケット管理システムに対して媒体ＩＤ、チケットＩＤ、端末利用情報、利用回数値を送信し、チケット管理システムは、利用端末から送られる情報にもとづいて、不正利用の有無を判定する技術が記載されている。
【先行技術文献】
【特許文献】
【０００３】
【特許文献１】特開２００７−３０４９２５号公報
【発明の概要】
【発明が解決しようとする課題】
【０００４】
しかしながら特許文献１に記載の技術では、電子チケットの内部メモリに格納される利用回数値をチケット管理システムが収集した上で不正利用の有無のチェックを実施していたため、データセンタで不正検知を行う必要がある。そのため、改札機を利用者が通過したタイミングで不正検知をデータセンタが行うとすると、データセンタ側の処理が膨大となり、不正検知が迅速に行えなかった。更に、不正検知が迅速に行えない場合は、不正利用者を取り逃がしてしまう可能性がある。
【０００５】
そこで、本発明は、電子チケットにおいて、不正の検知が迅速に行い、不正利用者を取り逃がさないことを目的とする。
【課題を解決するための手段】
【０００６】
上記課題を解決するために、例えば不正利用検出システムは、駅毎又は複数駅に対応付けられて設置された不正利用検出装置と、不正利用検出装置に接続されたデータセンタとを含む。データセンタは、券売機から送信される電子チケットの発券駅、購入金額を含む発券時情報を取得する取得部と、発券時情報を複数の不正利用検出装置に送信する送信部と、を備え、不正利用検出装置は、データセンタから取得した発券時情報と、不正利用検出装置に対応付けられた駅の電子チケット利用装置から取得した電子チケットの情報とを比較して不正の有無を判定する不正判定部を備える。
【発明の効果】
【０００７】
本発明によれば、電子チケットにおいて、不正の検知が迅速に行うことができる。
【図面の簡単な説明】
【０００８】
【図１】本発明のシステム構成の例である
【図２】本発明を実施するためのＨ／Ｗ構成の例である
【図３】本発明を実施するためのＳ／Ｗ構成の例である
【図４】不正利用検出装置の自駅への情報配信シーケンスの例である
【図５】不正利用検出装置のチェック動作シーケンスの例である
【図６】不正利用検出装置の配信設定画面の例である
【図７】不正利用検出装置の他駅への情報配信シーケンスの例である
【図８】ＩＣ化一回券の発券時情報の例である
【図９】不正利用検出装置の他駅配信先内容決定フローの例である
【図１０】チェック・伝達端末を利用する場合の配信設定画面の例である
【図１１】チェック・伝達端末を利用する場合の配信シーケンスの例である
【発明を実施するための形態】
【０００９】
以下、各実施例について図面を用いて説明する。
【実施例１】
【００１０】
本実施例では、ＩＣ化一回券１０１０の不正利用検知を行う装置１００１の動作および不正利用検知装置１００１を利用するための構成例を説明する。ここで、ＩＣ化一回券１０１０はＩＣチップを乗車券として利用するものであり、一回の乗車駅入出場を以って使い切る事を前提としたチケットである。また、本実施形態では、ＩＣ化一回券について限定されるものではなく、電子チケットにおける不正利用も検知できるものである。ここで、電子チケットとは、紙ではなく電子的な情報をチケットとして扱う電子入出場券である。
【００１１】
図１は、本実施例のシステム構成の例である。
【００１２】
記号１０００は各駅の設備を示したものであり、不正利用検出装置１００１、発券機１００２、改札機１００３、無線端末１００４をその代表として記す。但し、不正利用検出装置１００１は必ず駅毎に設置しなくてもよく、複数駅の発券機１００２、改札機１００３等と接続する形態を取ってもよい。
【００１３】
不正利用検出装置１００１はＩＣカード一回券１０１０の改ざんや複数チケットを用いたキセル行為等、不正利用を検知するための装置であり、発券機１００２、改札機１００３、無線端末１００４及び駅間ネットワーク１０３０に接続されている。発券機１００２はＩＣ化一回券１０１０を発行・利用可能にするための装置であり、不正利用検出装置１００１と接続されている。改札機１００３はＩＣ化一回券の情報を読み取り、不正利用検出装置１００１に対して不正利用のチェック要求を発行し、チェックの結果によりＩＣ化一回券１０１０の利用者に対しゲート開閉を持って通行許可・拒否を伝達する装置であり、不正利用検出装置１００１と接続されている。無線端末１００４は不正利用検出装置１００１がチェック・伝達端末１０４０と通信するために用いる装置であり、不正利用検出装置１００１と接続されている。
【００１４】
記号１０２０はＩＣ化一回券の情報を収集・管理するデータセンタであり、駅間ネットワーク１０３０と接続し、駅間ネットワーク１０３０経由で不正利用検出装置１００１が発券時情報を配信する際の情報を受信し、また、各駅の不正利用検出装置１００１に向けて発券時情報を配信する。
【００１５】
記号１０３０は駅間ネットワーク設備であり、各駅の不正利用検出装置１００１やデータセンタ１０２０間の情報伝達を行う。
【００１６】
記号１０４０は不正利用検出端末と同方式のチェック機能を持った端末であり、無線端末１００４を通じて不正利用検出装置１００１と接続し、発券時情報を用いた不正利用のチェックの他に発券時情報の受配信を行う。
【００１７】
前記のような構成において、通常、ＩＣ化一回券１０１０の利用者は発券機１００２にてＩＣ化一回券を購入し、改札機１００３にてＩＣ化一回券１０１０が有効であることをチェックされた後、駅構内に入場する。その後、列車での移動を経て、ＩＣ化一回券１０１０の発行駅とは異なる駅の改札機１００３において乗車に利用したＩＣ化一回券１０１０の料金等チェックを済ませ、問題がない場合出場可能となる。
【００１８】
このような利用形態において、例えばＩＣ化一回券１０１０に搭載されたＩＣチップに記録された情報が改ざんされる等の不正が起こった場合、不正利用検出装置１００１を利用することで不正を検出する。ＩＣチップ内情報改ざん等の不正は改札外または改札内で行われる。これに対し、不正利用検出装置１００１は入場時と出場時に発券時情報との整合性をチェックすることで不正検出を行う。
【００１９】
不正利用検出装置１００１は入場時の不正利用検出機能として、当該駅で発券された有効期限内の全ＩＣ化一回券につき発券時情報と入場記録を保持し、その情報と入場時のＩＣ化一回券の情報の整合を確認することで不正の検出を行う。ここで、改ざん等不正には未使用ＩＣ化一回券１０１０を用いた不正と使用済みＩＣ化一回券１０１０を用いた不正の２通りが考えられるが、未使用のＩＣ化一回券内の情報を改ざんした場合には発券時の情報と異なるため不正として検知可能。また同一性を判断するためにＩＣ化一回券１０１０毎に付与されたＩＤが変更された場合はそもそも発券の履歴が存在しないため不正として検知可能となる。次に、使用済みのＩＣ化一回券１０１０を改ざん等によって不正に再度利用しようとした場合にも、発券時情報が存在しない、不正利用検出装置１００１が持つ入場記録と整合しないという理由で改札機の通行を抑止できる。
【００２０】
不正利用検出装置１００１は出場時の不正利用検出機能として、他駅等に存在する不正利用検出装置１００１に発券時情報を配信し、各不正利用検出装置１００１が入場時と同様の不正利用検出方法をとることで、改札内で行われた不正に関しても出場時に不正利用を検出が可能となる。
【００２１】
図２は本発明の実施例である不正利用検出装置３０００を実施するためのハードウェア構成２００１の例であり、中央処理装置２００２と主記憶装置２００３と内部バス２００４とバスＩ／Ｆ２００５と外部バス２００６と画面出力装置Ｉ／Ｆ２００７とユーザ入力装置Ｉ／Ｆ２００８と大容量記憶装置２００９と通信装置Ｉ／Ｆ２０１０と入出力装置Ｉ／Ｆ２０１１から構成される。
【００２２】
中央処理装置２００２はプログラム実行等の演算を行うための装置であり、本発明図３の不正検出部３００３、配信設定部３００４、配信情報生成部３００５の動作を実現するために用いられる。
【００２３】
主記憶装置２００３は本発明のプログラム実行時の処理領域および、データの一時格納領域として使用される。例えばＯＳ（Ｏｐｅｒａｔｉｎｇ  Ｓｙｓｔｅｍ）などの基本プログラムや、図３の発券時情報記憶部３００２に格納された情報や配信情報設定部３００５が生成した配信情報、その他不正利用検出装置を実現するためのプログラムを一時的に格納する。
【００２４】
中央処理装置２００２と主記憶装置２００３は内部バス２００４により接続されており、内部バス２００４はバスＩ／Ｆ２００５を介して外部バス２００６に接続されている。
【００２５】
外部バス２００６は画面出力装置Ｉ／Ｆ２００７、ユーザ入力装置Ｉ／Ｆ２００８、大容量記憶装置Ｉ／Ｆ２００９、通信装置Ｉ／Ｆ２０１０、入出力装置Ｉ／Ｆ２０１１と接続されており、これらのＩ／Ｆと中央演算処理装置２００２や主記憶装置２００３とのデータ入出力をバスＩ／Ｆ２００５、内部バス２００４を通して媒介する。
【００２６】
画面出力装置Ｉ／Ｆ２００７はディスプレイ２０１２と接続するためのＩ／Ｆであり、外部バス２００６を通じて得た情報をディスプレイ２０１２に出力する。ディスプレイ２０１２は例えば本発明の配信設定画面である６０００や１００００を表示可能な装置であり、そのほかにも基本プログラムを操作するための情報等が表示できる。
【００２７】
ユーザ入力装置Ｉ／Ｆ２００８はユーザ入力装置２０１３と接続するためのＩ／Ｆであり、外部バス２００６にユーザ入力装置２０１３から入力された情報を出力する。ユーザ入力装置２０１３はキーボード、マウスなど、ユーザからの入力を受け取るための装置であり、ユーザ入力装置２０１３から入力された情報はユーザＩ／Ｆ２００８に出力される。
【００２８】
大容量記憶装置Ｉ／Ｆ２００９は大容量記憶装置２０１４と接続するためのＩ／Ｆであり、大容量記憶装置２００９からのデータ入出力を外部バス２００６に仲介する。大容量記憶装置２０１４は例えばＨＤＤ（Ｈａｒｄ  Ｄｉｓｋ  Ｄｒｉｖｅ）といった装置であり、不正利用検出装置３０００の機能を実現するための基本プログラムやプログラム実行時処理結果の一時保管情報、配信設定部３００４の設定情報、配信情報記録部３００２のＩＣ化一回券の発券時情報、不正検出部３００３や配信情報生成部３００５のプログラムを装置の電源を切った状態やプログラム非実行時に保管する。また、各種処理実行の際には中央処理装置２００２が主記憶装置２００３にこれらのプログラムやデータを読み出してプログラムを実行する。
【００２９】
通信装置Ｉ／Ｆ２０１０は通信装置２０１５と接続するためのＩ／Ｆであり、通信装置２０１５からのデータ入出力を外部バス２００６に仲介する。通信装置２０１５は例えばＥｔｈｅｒｎｅｔ（登録商標）を介して外部サーバ装置などと接続するための装置でありネットワークで接続された外部との通信を行える。
【００３０】
入出力装置Ｉ／Ｆ２０１１は入出力装置２０１６と接続するためのＩ／Ｆであり、入出力装置２０１６からのデータ入出力を外部バス２００６に仲介する。入出力装置２０１６は外部媒体に読み書き可能なドライブ装置や開発者の認証を行うための指静脈読取装置などである。
【００３１】
また、チェック・伝達端末３０６０は前記不正利用検出端末３０００と同様のＨ／Ｗで実現可能だが、ディスプレイや入力装置が一体となった携帯可能な端末で実現することもできる。
【００３２】
図３は、本実施例のソフトウェア構成の例である。
【００３３】
記号３０００は不正利用検出装置１００１のソフトウェア構成を示した図であり、駅・端末Ｉ／Ｆ３００１、発券時情報記憶部３００２、不正検出部３００３、配信設定部３００４、配信情報生成部３００５、データセンタＩ／Ｆ３００６を含む。不正利用検出装置３０００は、主に発券機３０１０やデータセンタ３０５０から送信されるＩＣ化一回券１０１０の発券時情報を発券時情報記憶部３００２に記録し、不正検出部３００３を用いて駅設備等から要求のあったＩＣ化一回券１０１０の不正利用チェックを行うとともに、配信情報生成部３００５にて他駅不正利用検知装置やチェック・伝達端末３０６０に対してＩＣ化一回券１０１０の発券時情報を配信する装置である。各部の詳細については下記に記す。
【００３４】
駅・端末Ｉ／Ｆ３００１は発券機３０１０、改札機３０２０、駅ナカ３０３０やチェック・伝達端末３０６０との通信を行うためのＩ／Ｆであり、不正利用検出装置３０００、発券機３０１０、改札機３０２０、駅ナカ３０３０、チェック・伝達端末３０６０と駅内ネットワーク３０４０を通して通信し、ＩＣ化一回券１０１０の発券時情報や、チェック要求等の情報を送受信する。
【００３５】
発券時情報記憶部３００２はデータセンタ３０５０や発券機３０１０、改札機３０２０、駅ナカ３０３０、チェック・伝達端末３０６０から受信したＩＣ化一回券１０１０の発券時情報を保存する部分であり、駅・端末Ｉ／Ｆ３００１、データセンタＩ／Ｆ３００６と接続し、それぞれのＩ／Ｆから情報を受信・保存する。また、発券時情報記憶部３００２は不正検出部３００３と接続し、不正検出部３００３が不正の有無をチェックする際に保存した情報の提供を行う。また、発券時情報記憶部３００２は配信情報生成部３００５と接続し、データセンタ３０５０やチェック・伝達端末３０６０に対して配信するＩＣ化一回券１０１０の発券時情報の提供を行う。
【００３６】
不正検出部３００３はＩＣ化一回券の不正有無をＩＣ化一回券１０１０の発券時情報との比較によって判定する部分であり、駅・端末Ｉ／Ｆ３００１、発券時情報記憶部３００２と接続する。不正検出部３００３は、駅・端末Ｉ／Ｆ３００１を通して改札機３０２０、駅ナカ３０３０からチェック対象のＩＣ化一回券記載情報を含む不正利用チェック要求を受け取り、また、チェック結果を返却する。不正検出部３００３はチェック要求を受け取ると、発券時情報記憶部３００２に記録された、ＩＣ化一回券１０１０の発券時情報と比較を行い、ＩＤとその他記載情報がすべて一致した場合は“不正なし”、ＩＤは存在するがその他情報が一部でも書き換わっている場合は“不正あり”、ＩＤが存在しない場合は“対応ＩＤなし”、他駅発行のＩＣ化一回券１０１０で、発券時情報が届いていない場合は“判断保留”を返却する。“判断保留”としたものについては、従来技術と同様サービス外時間においてデータセンタで一括して不正利用チェック処理を行う。
【００３７】
配信設定部３００４は配信情報生成部３００５の動作を指定するための設定を行い、その設定を保持する部分であり、配信情報生成部３００５、データセンタＩ／Ｆ３００６と接続される。配信設定部３００４の設定は不正利用検出装置３０００に接続された入出力装置で直接設定を行うか、データセンタ３０５０から各駅の配信設定部３００４を呼び出して設定を行うことができる。これらの方法で設定された情報は、配信情報生成部３００５によって参照され、配信内容の決定に利用される。
【００３８】
配信情報生成部３００５は発券時情報記憶部３００２に格納された発券時情報を基に、データセンタ３０５０やチェック・伝達端末３０６０に対して配信する情報を決定する部分であり、駅・端末Ｉ／Ｆ３００１、発券時情報記憶部３００２、配信設定部３００４、データセンタＩ／Ｆ３００６に接続する。配信情報生成部３００５は一定時間毎、または配信設定部３００４からの配信命令によって動作を開始する。動作開始時に配信設定部３００４より設定情報を読み込み、設定に従い発券時情報記憶部３００２の中から配信対象となるＩＣ化一回券１０１０の発券時情報を抽出し、データセンタＩ／Ｆ３００６を通じてデータセンタ３０５０経由で他駅の不正利用検知装置３０００に対して配信を行う、または、駅・端末Ｉ／Ｆ３００１を経由してチェック・伝達端末３０６０に対して配信を行う。また、毎日のサービス提供時間外に、ＩＣ化一回券ＩＤマスタ３０５４更新のため、発券時情報記憶部３００２に保存された発券時情報をデータセンタ３０５０に送信する。
【００３９】
データセンタＩ／Ｆ３００６はデータセンタ３０５０との情報交換を行うためのＩ／Ｆであり、発券時情報記憶部３００２、配信決定部３００４、配信情報生成部３００５と接続する。データセンタＩ／Ｆ３００６はデータセンタから配信設定部３００４の操作命令や発券時情報記憶部３００２に対する他駅の不正利用検出装置３０００からの配信されたＩＣ化一回券発行部３０１１の発券時情報を入力情報として受信し、発信情報生成部３００５からのＩＣ化一回券発行部３０１１の発券時情報を含む情報を出力として配信する。
【００４０】
記号３０１０は発券機１００２のソフトウェア構成を示した図であり、ＩＣ化一回券発行部３０１１、発券時情報送信部３０１２を含む。発券機１００２はＩＣ化一回券１０１０の購入者の要求に対し、ＩＣ化一回券発行部３０１１にてＩＣ化一回券１０１０の発行処理を行うと共に、発券時情報送信部３０１２にて発券時情報を不正利用検出装置３０００に対して送信する。
【００４１】
ＩＣ化一回券発行部３０１１はＩＣ化一回券１０１０の購入者の発券要求に対して、ＩＣ化一回券１０１０が保持する情報を書き換えて利用可能な状態に変更する処理を行う部分であり、発券時情報送信部３０１２と接続する。ＩＣ化一回券発行部３０１１は、ＩＣ化一回券１０１０の発行を行う際、発券時情報を発券時情報送信部３０１２に送信する。
【００４２】
発券時情報送信部３０１２はＩＣ化一回券発行部３０１１から送信されたＩＣ化一回券１０１０の発券時情報を不正利用検出装置３０００に対して駅内ネットワーク３０４０を通じて送信する部分であり、ＩＣ化一意見発行部３０１１と接続する。
【００４３】
記号３０２０は改札機１００３のソフトウェア構成を示した図であり、ＩＣカード読書部３０２１、チェック要求発行部３０２２を含む。改札機１００３は、ＩＣ化一回券１０１０所持者の場内への入場、場内からの出場要求に対し、ＩＣカード読書部３０２１を用いてＩＣ化一回券１０１０の保持する情報を読み書きすることで料金精算等を行うと同時に、ＩＣ化一回券１０１０が保持している情報が不正に変更等されていないかを、チェック要求発行部３０２２を通じて不正利用検出装置３０００でチェックし、その結果によってゲート開閉部３０２３の動作によりゲート開閉等が行われ、通行可否をＩＣ化一回券１０１０所持者に伝える。
【００４４】
ＩＣカード読書部３０２１はチェック要求発行部３０２２と接続し、読み取ったＩＣ化一回券１０１０の情報をチェック要求発行部に通知する。
【００４５】
チェック要求発行部３０２２はＩＣカード読書部３０２１と接続し、ＩＣカード読書部から受け取ったＩＣ化一回券１０１０の情報に関するチェック要求をネットワーク３０４０を通して不正利用検出装置３０００に対してチェック要求を行うと共に、チェック結果をゲート開閉部３０２３に伝達する。
【００４６】
ゲート開閉部３０２３はチェック要求発行部３０２２と接続し、チェック要求発行部３０２２からＩＣ化一回券１０１０のチェック結果を受信し、この結果によってゲート開閉の動作を決定、実行する部分であり、例えば、“不正あり”、“対応ＩＤなし”の場合はゲートを閉め、通行を許さない状態とする。
【００４７】
記号３０３０は駅ナカの販売店設置の購買端末、自動販売機におけるソフトウェア構成図を示した図であり、前記改札機３０２０と同様の構成を持つ。このように改札機以外のＩＣカード読み取り可能端末でも、改札機と同様の不正検出方法を実施することで不正検出が可能となる。
【００４８】
記号３０４０は駅内ネットワークであり、不正利用検出装置３０００、発券機３０１０、改札機３０２０、駅ナカ３０３０、チェック・伝達端末３０６０と接続し、ＩＣ化一回券１０１０の発券時情報や、チェック要求等の情報を伝達する。
【００４９】
記号３０５０はデータセンタのソフトウェア構成を示した図であり、配信設定変更部３０５１、不正利用検出装置Ｉ／Ｆ３０５２、受配信実行部３０５３、ＩＣ化一回券ＩＤマスタ３０５４を含む。データセンタ３０５０は、発行前のＩＣ化一回券１０１０を含めた全ＩＤマスタをサービス始業前にすべての不正利用検出装置３０００に対して送信し、サービス時間中は主に不正利用検出装置３０００から送られてきたＩＣ化一回券１０１０の発券時情報を中継し、発信元以外の不正利用検知装置３０００に送付を行う処理を行う。送付先の指定は不正利用検出装置３０００側の配信要求の内容に含まれており、配信先の情報は、不正利用検出装置３０００の配信設定部３００４で決定されるが、データセンタ３０５０内の配信設定変更部３０５１を用いることで任意の不正利用検出装置３０００に対し、配信設定変更を行える。
【００５０】
配信設定変更部３０５１は複数駅に存在する不正利用検出装置３０００の配信設定部３００４の設定を変更する部分であり、不正利用検出装置Ｉ／Ｆ３０５２に接続し、不正利用検出装置Ｉ／Ｆ３０５２経由で各不正利用検出装置３０００の配信設定部３００４で設定された配信設定を変更する。
【００５１】
不正利用検出装置Ｉ／Ｆ３０５２は駅等に存在する不正利用検出装置３０００に接続するためのＩ／Ｆであり、配信設定変更部３０５１、受配信実行部３０５３と接続し、情報の授受を行う。
【００５２】
受配信実行部３０５３は不正利用検出装置Ｉ／Ｆ３０５２、不正利用検出装置３０００から不正利用検出装置Ｉ／Ｆ３０５２を通じて送信されてくるＩＣ化一回券１０１０の発券時情報を受信し、不正利用検出装置Ｉ／Ｆ３０５２を通じて指定された配信先の不正利用検出装置３０００に送信する。また、受配信実行部３０５３はＩＣ化一回券ＩＤマスタ３０５４から読み出したマスタ情報を、不正利用検出装置Ｉ／Ｆ３０５２を通して不正利用検出装置３０００に送信し、毎日のサービス提供時間外に全ての不正利用検出装置３０００から発券時情報を受信、マスタの更新を行う。
【００５３】
ＩＣ化一回券ＩＤマスタ３０５４は発行前のＩＣ化一回券１０１０を含めた全ＩＤマスタ情報であり、発行状態、利用状態等を保持するものであり、受配信実行部３０５３により読書される。
【００５４】
記号３０６０はチェック・伝達端末１０４０のソフトウェア構成を示した図であり、発券時情報送受信Ｉ／Ｆ３０６１、発券時情報記憶部３０６２、不正検出部３０６３、ＩＣカード読取部３０６４、配信情報生成部３０６５を含む。チェック・伝達端末３０６０は不正検出部３０６３において、不正利用検出装置３０００の不正検出部３００３と同等の機能を持ち、独立して不正検知が行える端末であり、特に駅間を移動するような状況で利用する場合には、各駅等に設置された不正利用検出装置３０００とＩＣ化一回券１０１０の発券時情報を交換することで、データセンタ３０５０を介する以外の発券情報配信方法として利用できる。
【００５５】
発券時情報送受信Ｉ／Ｆ３０６１は発券時情報記憶部３０６２、配信情報生成部３０６５と接続され、ＩＣ化一回券１０１０の発券時情報の授受を行う際に、ネットワーク３０４０を経由して不正利用検出装置３０００との接続を行う。
【００５６】
発券時情報記憶部３０６２は発券時情報送受信Ｉ／Ｆ３０６１、不正検出部３０６３、配信情報生成部３０６５と接続し不正検出部３０６３が不正検出のために用いるＩＣ化一回券１０１０の発券時情報を保持する。
【００５７】
不正検出部３０６３は発券時情報記憶部３０６２、ＩＣカード読取部３０６４と接続し、前記不正利用検出装置３０００の不正検出部３００３と同様のチェックを行う部分であり、例えば、チェック・伝達端末３０６０を持つ職員が、車内検札等と併せて任意のＩＣ化一回券を読み取った際、その情報をＩＣカード読取部３０６４経由で取得し不正利用チェックを行う。
【００５８】
ＩＣカード読取部３０６４は、ＩＣ化一回券の内部に記録された情報を読取可能な部分であり、チェック・伝達端末３０６０を持つ職員はこの部分にカードをかざすことで、不正利用のチェックを行える。
【００５９】
配信情報生成部３０６５は発券時情報記憶部３０６２、発券時情報送受信Ｉ／Ｆ３０６１と接続し、発券時情報記憶部３０６２が保持しているＩＣ化一回券１０１０の発券時情報を読み出し、発券時情報送受信Ｉ／Ｆ３０６１を通じて、各駅等に設置されている不正利用検出装置３０００に送信する。
【００６０】
図４は、本実施例における入場時不正検知のための情報配信シーケンスの例である。
【００６１】
記号４０１０はＩＣ化一回券１０１０の購入者の動作を表すものであり、ＩＣ化一回券購入者はＩＣ化一回券１０１０の発行を金銭等と引き換えに要求し、その対価として所望の区間移動可能なＩＣ化一回券１０１０を得ようとしている。
【００６２】
記号４０２０は発券機の動作を表すものであり、図１のシステム構成上の発券機１００２、図３のＳ／Ｗ構成上の発券機３０１０の動作に相当し、ＩＣ化一回券１０１０の発券等を行う。
【００６３】
記号４０３０は不正利用検出装置の動作を表すものであり、図１のシステム構成上の不正利用検出装置１００１、図３のＳ／Ｗ構成上の不正利用検出装置３０００の動作に相当し、ＩＣ化一回券１０１０の発券時情報を保持する。
【００６４】
記号４００１は発券要求であり、ＩＣ化一回券購入者４０１０が駅等に設置された券売機４０２０に対し、行き先を提示する、金銭を投入するといった方法で発券要求を行う動作を示す。
【００６５】
記号４００２はＩＣ化一回券の有効化であり、ＩＣ化一回券購入者４０１０の要求に対して未発行のＩＣ化一回券１０１０の情報を書き換えて利用可能な状態にする処理である。
【００６６】
記号４００３は発券時情報登録要求であり、前記４００２で有効化したＩＣ化一回券１０１０の発券時情報を不正利用検出装置４０３０に対して送信すると共に、不正利用検出装置４０３０内の発券時情報記憶部３００２に登録するよう要求する処理である。
【００６７】
記号４００４は発券時情報登録であり、前記４００３の発券時情報登録要求に対し、不正利用検出装置４０３０内の発券時情報記憶部３００２に登録する処理である。
【００６８】
記号４００５は登録完了通知であり、発券時情報が不正利用検出装置４０３０内の発券時情報記憶部３００２に登録されたことを発券機４０２０に対して通知する処理である。
【００６９】
記号４００６はＩＣ化一回券排出処理であり、前記４００２において有効化したＩＣ化一回券１０１０を排出し、ＩＣ化一回券購入者４０１０が取り出し可能にする処理である。
【００７０】
記号４００７は発券通知であり、発券機４０２０が備えるディスプレイ等で発券が完了したことをＩＣ化一回券購入者４０１０に通知する処理である。
【００７１】
図５は、本実施例における不正利用チェックシーケンスの例である。
記号５０１０はＩＣ化一回券１０１０の利用者が、ＩＣ化一回券１０１０を保持した利用者が、入場または出場のために改札機を通過する場合の動作を表すものである。
【００７２】
記号５０２０は改札機の動作を表すものであり、図１のシステム構成上の改札機１００３、図３のＳ／Ｗ構成上の改札機３０２０の動作に相当し、ＩＣ化一回券１０１０の通行可否をゲートの開閉動作等を通してＩＣ化一回券利用者に通知する。
【００７３】
記号５０３０は不正利用検出装置の動作を表すものであり、図１のシステム構成上の不正利用検出装置１００１、図３のＳ／Ｗ構成上の不正利用検出装置３０００の動作に相当し、ＩＣ化一回券１０１０の発券時情報と通行要求対象のＩＣ化一回券１０１０の情報を照合することで不正利用を検知する。
【００７４】
記号５００１は通行要求であり、ＩＣ化一回券利用者５０１０が、改札機５０２０のＩＣ券読書部に対して、ＩＣ化一回券１０１０をタッチする等の動作を通して通行要求を行うものである。
【００７５】
記号５００２は照合要求であり、改札機５０２０が前記５００１の通行要求に対して、読み取ったＩＣ化一回券１０１０に記録されている情報を不正利用検出装置５０３０に送信し、不正利用の有無判断を要求する動作である。
【００７６】
記号５００３は発券時情報照合であり、前記照合要求５００２の対象となるＩＣ化一回券１０１０が  不正利用の有無を発券時情報との整合性から判断する処理である。なお、当該要求が入場時の処理であり、判断結果が“不正なし”であった場合は、当該ＩＣ化一回券１０１０の発券時情報に入場済みであることがわかる情報を記入しておくことにより、同じＩＤを持つ複製券の通行についても“不正あり”と判断できる。
【００７７】
記号５００４は結果返却であり、前記発券時情報照合５００３の結果をＩＤとその他記載情報がすべて一致した場合は“不正なし”、ＩＤは存在するがその他情報が一部でも書き換わっている場合は“不正あり”、ＩＤが存在しない場合は“対応ＩＤなし”を返却する。また、配信の制限等により発券時情報が届いていない場合、“判断保留”が返却される。
【００７８】
記号５００５は改札開閉であり、前記結果返却５００５の結果、“不正なし”意外の場合に改札を閉ざす等の方法でＩＣ化一回券利用者５０１０の通行を阻害する。また、前記５００４に記すように“判断保留”が返却された場合は通行を阻害しない。
【００７９】
記号５００６は通行可否であり、前記改札開閉５００５の結果として現れる改札機５０２０のゲート開閉等によって、ＩＣ化一回券利用者は通行可否の結果を受け取る。
【００８０】
図６は、本実施例における他駅等に存在する不正利用検出装置３０００への配信設定画面の例である。
【００８１】
記号６０００は配信設定画面であり、不正利用検出装置３０００の配信設定部３００４やデータセンタ３０５０の配信設定変更部３０５１にてＩＣ化一回券１０１０の発券時情報を配信するための設定を決定するために用いられる画面であり、配信設定部３００４や配信設定変更部３０５１の機能として実現される。各不正利用検出装置３０００はこの設定画面で指定され、配信されたＩＣ化一回券１０１０の発券時情報を基にＩＣ化一回券１０１０の出場時における不正利用チェックを行う。この画面は不正利用検出装置３０００の管理者や担当職員が利用するものであり、発券時情報の配信量コントロールや、配信範囲を指示することで配信大域を効率的に利用したＩＣ化一回券１０１０の不正利用検出が可能になる。また、本画面では、一定時間以内に発行されたＩＣ化一回券１０１０の発券時情報の即時配信を指示することが可能であり、例えばＩＣ化一回券１０１０の不正利用疑惑のある人間が数分前にＩＣ化一回券１０１０を購入した場合、その時間帯に発行されたＩＣ化一回券を迅速に配信することで不正利用が実際に行われた場合の検知が確実に行えるようになる。
【００８２】
記号６０１０は対象駅設定フォームであり、設定の対象となる駅名が記載される。特に不正利用検出装置３０００の配信設定部３００４では、不正利用検出装置３０００が設置されている駅等、当該不正利用検出装置３０００が直接管理している発券機３０１０、改札機３０２０が存在する駅から選択が行え、データセンタ３０５０の配信設定変更部３０５１ではすべての駅を選択対象とできる。
【００８３】
記号６０２０は配信量を指定するフォームであり、全てのＩＣ化一回券１０１０について発券時情報の配信を行うと膨大量となってしまう場合に配信量の調整を行うために設定する。例えば選択項目はラジオボタンで指定を行うことができ、記号６０２１で示すように１分あたりの配信件数を指定するフォーム、記号６０２２で示すように全発券数のうち配信する割合を指定するフォームを用いて配信量の制御が可能であり、記号６０２３に示すように全発券数配信の指定も可能である。
【００８４】
記号６０３０は配信開始地点を指定するフォームであり、発券駅を起点としてどこから配信を行うかを決定するためのものである。ここで、もし入場時の不正利用検出が正しく実施され“不正なし”として通過してきた場合、少なくとも発券・購入時の料金分については、乗車する権利を持つことになる。このため、例え入場後に改ざん等不正を行ったとしても、購入時の料金範囲内で出場するなら、金銭的な損害は出ないことになる。一般的に、不正を行う場合には改ざんのリスクを冒すに十分な利益が得られるような形で実施される可能性が高いため、記号６０３１に示すような、購入時料金範囲外を配信開始地点として設定することで、配信量低減と不正検出時処理量低減が図れる。一方で、前記のような前提が置けない場合等のために、記号６０３２のように発券駅を配信の起点として指定する方法も選択可能にする。
【００８５】
記号６０４０は配信終了地点を指定するフォームであり、記号６０４１のように範囲を指定せず、不正利用検知装置３０００を持つ全ての駅や事業者の全担当範囲に配信を行う場合では配信量が膨大となってしまう場合の範囲指定を行うためのものである。例えば、配信終了地点として、記号６０４２に示すように当日移動可能範囲内を指定することで、当日どこかの駅構内から出場するという前提の下でなら確実に不正利用のチェックができることになる。また、記号６０４３に示すようにある一定の料金範囲を指定することで、小額から高額までの不正を検出可能となる。
【００８６】
記号６０５０は配信設定を行うボタンであり、前記設定を一通り行った後に押下することで設定が記憶され、次回配信時からは設定内容に従い配信情報生成部３００５が配信対象、範囲を決定し配信を実行する。
【００８７】
記号６０６０は即時配信メニューであり、最近発券されたＩＣ化一回券１０１０について即時に配信を行いたい場合に用いる。例えば、記号６０６１は現在から過去何分以内に発券されたＩＣ化一回券１０１０の発券時情報について配信を行うかを指定するためのフォームであり、この値を設定して後、記号６０６２に示す即時配信を指示するボタンを押下すれば即時の配信が行える。
【００８８】
図７は、本実施例における出場時不正検知のための情報配信シーケンスの例である。
【００８９】
記号７０１０は職員の動作を表すものであり、職員とは不正利用検出装置３０００の配信設定３００４やデータセンタ３０５０の配信設定変更部３０５１にアクセス・動作させることが可能な権限を持つ人間である。
【００９０】
記号７０２０は発券駅不正利用検出装置であり、駅等に設置された不正利用検出装置３０００が、ＩＣ化一回券１０１０の発券時情報の配信を行う場合の動作を示す。
【００９１】
記号７０３０はデータセンタであり、データセンタ３０５０の動作を示す。
【００９２】
記号７０４０は出場駅不正利用検出装置であり、駅等に設置された不正利用検出装置３０００が、ＩＣ化一回券１０１０の発券時情報の受信を行う場合の動作を示す。
【００９３】
記号７００１は職員７０１０が配信設定画面６０００等を用いて配信設定を行う動作を示しており、例えば、職員７０１０は配信設定画面６０００の各種設定を行い、設定完了ボタン６０５０を押下することでこの動作を行う。このとき、特に配信設定画面６０００の即時配信メニュー６０６０設定および即時配信ボタン６０６２を押下した場合は、その情報についても発券駅不正利用検出装置７０２０に通知する。
【００９４】
記号７００２は配信設定保存の動作を表したものであり、前記職員７０１０からの配信設定７００１を受け、指定された配信設定を不正利用検出装置３０００の配信設定部３００４に保存する動作である。このとき、特に職員７０１０が配信設定画面６０００の即時配信メニュー６０６０設定および即時配信ボタン６０６２を押下したという情報を含んでいる場合には、配信情報生成開始７００７を実行する。
【００９５】
記号７００３はＩＣ化一回券ＩＤマスタ配信開始の動作を表したものであり、ＩＣ化一回券の利用を含めたサービス開始前の時刻にデータセンタ３０５０で実行される。ＩＣ化一回券ＩＤマスタをあらかじめ各不正利用検出装置３０００が持つことで、正式には存在しないＩＤを持つ偽造券等が利用されようとした場合に、不正利用として検知することができる。
【００９６】
記号７００４はＩＣ化一回券ＩＤマスタ配信の動作を表したものであり、前記ＩＣ化一回券ＩＤマスタ配信開始７００３の指示に従い、データセンタ７０３０の受配信実行部３０５３がＩＣ化一回券ＩＤマスタ３０５４を出場駅不正利用検出装置７０４０に配信する。なお、前記ＩＣ化一回券ＩＤマスタ３０５４の配信先である出場駅不正利用検出装置７０４０については、全ての不正利用検出装置３０００が出場駅となりうるため、事実上全駅への配信と同等とみなせる。
【００９７】
記号７００５はＩＣ化一回券ＩＤマスタ登録の動作を表したものであり、前記データセンタ７０３０からのＩＣ化一回券ＩＤマスタ配信７００４を受けてＩＣ化一回券ＩＤマスタ情報を不正利用検出装置３０００の発券時情報記憶部３００２に登録を行う。なお、すでに古い情報が配信されていた場合には最新の情報を以って上書きを行う。
【００９８】
記号７００６は登録完了通知の動作を示したものであり、出場駅不正利用検出装置７０４０がＩＣ化一回券ＩＤマスタの登録を完了したことをデータセンタ７０３０に通知するものである。
【００９９】
記号７００７は配信情報生成開始の動作を表したものであり、発券駅不正利用検出装置７０２０の配信情報生成部３００５を起動する処理である。なお、配信情報生成開始７００７は、前記、配信設定保存７００２後、即時配信のための呼び出しが行われるような場合以外は、あらかじめ設定された時刻または時間間隔で実行される。
【０１００】
記号７００８は発券時情報配信内容作成の動作を表したものであり、発券駅不正利用検出装置７０２０の配信情報生成部３００５が配信設定部３００４の配信設定に従って発券時情報記憶部３００２の情報を配信するための情報を作成する。
【０１０１】
記号７００９は発券時情報配信の動作を表したものであり、前記配信内容作成７００８にて作成された情報を、データセンタ７０３０に送信する。
【０１０２】
記号７００１０は発券時情報配信中継の動作を表したものであり、前記発券時情報配信７００９の情報に従って配信先の不正利用検出装置３０００、すなわち、出場駅不正利用検出装置７０４０を決定する。
【０１０３】
記号７００１１は発券時情報配信の動作を表したものであり、前記発券時情報配信中継７００９で定めた配信先に発券時情報の配信を行う。
【０１０４】
記号７００１２は発券時情報登録の動作を表したものであり、前記データセンタ７０３０からの発券時情報配信を受け、発券時情報記憶部３００２に受信した情報を登録する。
【０１０５】
図８は、本実施例におけるＩＣ化一回券発券時情報の例であり、不正利用検出装置３０００の不正利用検出部３００３はこの情報と改札機３０２０等から送信されるＩＣ化一回券１０１０が保持している情報との整合性を確認することでＩＣ化一回券１０１０の不正利用を検出する。また、このＩＣ化一回券発券時情報のうち、各不正利用検出装置３０００の管轄下にある改札機３０２０から受信した発券時情報については、配信情報部にて配信先等配信内容を決定した上で他駅等に設置された、不正利用検出装置３０００に配信され、不正利用を検出するための情報として用いられる。
【０１０６】
列８０１０はＩＣ化一回券１０１０のＩＤを記すものであり、当該営業日のサービス時間以前にデータセンタ３０５０のＩＣ化一回券ＩＤマスタ３０５４の情報を受け取ることにより、当該営業日に存在する、発行前のＩＣカード一回券も含めた全てのＩＤが記されている。
【０１０７】
列８０２０はＩＣ化一回券１０１０の発券駅を記すものであり、発券済みのＩＣ化一回券１０１０については、発券駅が記載されており、発券前のものについては発券駅が記載されていない。
【０１０８】
列８０３０はＩＣ化一回券１０１０の発券時刻を記すものであり、発券済みのＩＣ化一回券１０１０については、発券時刻が記載されており、発券前のものについては発券時刻が記載されていない。
【０１０９】
列８０４０はＩＣ化一回券１０１０の発券金額を記すものであり、発券済みのＩＣ化一回券１０１０については、発券金額が記載されており、発券前のものについては発券金額が記載されていない。
【０１１０】
列８０５０はＩＣ化一回券１０１０の入場時刻を記すものであり、入場済みのＩＣ化一回券１０１０については、入場時刻が記載されており、発券前のものについては発券金額が記載されていない。不正利用の確認を行う際には、この入場時刻が記録されているか否かで、当該ＩＤを持つＩＣ化一回券が使用済みであるかどうかを判断し、複製券による入場ができないようにする。
【０１１１】
行８００１、行８００２は発券済のＩＣ化一回券１０１０に関する発券時情報の例であり、さらに、行８００１は入場済み、行８００２は未入場であるものの例である。
【０１１２】
行８００３は前記行８００１、行８００２と同様発券済のＩＣ化一回券１０１０に関する発券時情報の例であるが、行８００１、行８００２とは発券駅が異なる。
【０１１３】
行８００４は発券済のＩＣ化一回券１０１０に関する発券時情報の例でありＩＤ８０１０以外の情報は記されていない。
【０１１４】
図９は、本実施例における配信情報を決定するフローを説明するものであり、図７の配信内容作成７００８に示すタイミングにおいて、不正利用検出装置３０００の配信情報生成部３００５で実行される。本フローを実施することで、各駅等に存在する不正利用検出装置３０００において出場時の不正検知を行うことができる。
【０１１５】
ステップ９００１は即時配信ボタンによる動作かどうかの判断であり、配信設定保存７００２の後直接呼出しが行われたかどうかで判断を行う。もし、即時配信ボタンによる動作であったならステップ９０２１に進み、即時配信ボタンによる動作でなかったならステップ９０１１に進む。
【０１１６】
ステップ９０１１は不正利用検出装置３０００が管理する発券機３０１０において、前回実行後に新たに発券されたＩＣ化一回券１０１０の発券時情報を収集する処理を行う。例えば、Ａ駅の発券機３０１０を管理する不正利用検知装置３０００において、前回実行時刻が７時５５分であった場合、発券時情報の発券駅８０２０がＡ駅であって、発券時刻８０３０が７時５５分以降といった条件を満たす、行８００１や行８００２のようなＩＣ化一回券１０１０の発券時情報が配信対象候補として抽出される。
【０１１７】
ステップ９０１２は配信設定画面６０００の配信量指定６０２０に従い配信対象絞込みを行うための処理であり、例えば配信量指定６０２０の１分あたりの配信可能件数６０２１を選択し、配信の周期が５分毎であったとすると５０件までは配信が行われることになる。
【０１１８】
ステップ９０１３は各発券時情報に対して繰り返しを行う処理であり、以下のステップにおいて、配信候補となる各ＩＣ化一回券１０１０の発券時情報に対し配信範囲判断を行う。
【０１１９】
ステップ９０１４は配信設定画面６０００の配信開始地点６０３０に従い配信開始駅の決定する処理であり、例えば配信開始地点６０３０を料金範囲外６０３１と設定されており、発券時情報の行８００１が配信対象である場合、配信対象駅は１００円で移動可能な範囲の外に存在する、すなわち１００円で乗越し料金が発生する駅を配信開始駅として設定する。
【０１２０】
ステップ９０１５は配信設定画面６０００の配信終了地点６０４０に従い配信終了駅を決定する処理であり、例えば、配信終了地点６０４０のうち、当日移動範囲内６０４２が選択されており、発券時情報の行８００１が配信対象である場合、発券駅８０２０のＡ駅を起点として当日営業終了までに移動可能な範囲のうちいくつかの移動方面において最も遠い駅を配信終了駅として設定する。
【０１２１】
ステップ９０１６は前記ステップ９０１３から始まった繰り返しを終える処理であり、上記ステップにおいて設定した配信対象となる発券時情報および配信対象駅の情報をデータセンタ３０５０に送付することで各駅の不正利用検出装置３０００に対して発券時情報を配信できる。
【０１２２】
ステップ９０２１は即時配信メニュー６０６０で指定の時刻内で発行された情報を収集する処理であり、例えば、現在時刻が８時２分で、発券時刻３分以内６０６１に発券した発券時情報を対象としており、発券時情報のうち発券駅８０２０がＡ駅である行８００１、行８００２が候補となるなら、配信対象となる発券時情報は発券時刻８０３０より行８０２０のみとなる。
【０１２３】
ステップ９０２２は各発券時情報に対して繰り返しを行う処理であり、以降のステップで、配信対象の発券時情報に対して配信先の駅を決定する。
【０１２４】
ステップ９０２３、ステップ９０２４では配信開始地点を発券駅、配信終了地点を指定なしと設定することで、即時配信の緊急性を鑑み全駅が配信範囲となるようにする。もし、配信量が膨大となってしまう等の懸念がある場合は、ステップ９０１２〜９０１６のような絞込みを行ってもよい。
【０１２５】
ステップ９０２５前記ステップ９０２２から始まった繰り返しを終える処理であり、上記ステップにおいて設定した配信対象となる発券時情報および配信対象駅の情報をデータセンタ３０５０に送付することで各駅の不正利用検出装置３０００に対して発券時情報を配信できる。
【実施例２】
【０１２６】
本実施例では、データセンタ１０２０を用いた配信だけでなく、不正利用検出装置３０００と同等の不正利用検出を行える携帯型チェック・伝達端末３０６０(図１においては１０４０)を用いて各駅等に設置の不正利用検出装置３０００内の発券時情報記憶部３００２の情報を配信する方法および装置について説明する。
【０１２７】
本実施例では、不正なＩＣ化一回券１０１０の不正検知を行うには、不正を行った人間より早く、不正を行った人間が降車する駅にＩＣ化一回券１０１０の発券時情報を届ければよいという性質を利用し、人間の移動に合わせた発券時情報の配信について上記チェック・伝達端末３０６０を用いた方法を説明する。
【０１２８】
本方法・装置を実施すれば、データセンタ３０５１経由でのＩＣ化一回券１０１０の発券時情報配信をチェック・伝達端末３０６０経由でのＩＣ化一回券１０１０の発券時情報配信に置き換えることができるため、データセンタ３０５１の通信にかかる負荷を大幅に削減できると共に、不正利用検出を行える携帯型チェック・伝達端末３０６０が職員・列車と共に駅を移動することで、不正利用者の移動経路に近い形で情報の配信が行えることになり、不正検知が効率的に行える。また、携帯型チェック・伝達端末３０６０の機能を車内改札用端末へ導入したり、グリーン車等の指定席の権利を確認するためのＩＣカード読取端末に導入したりすることで、より広範囲な不正検知が行える。
【０１２９】
図１０は、チェック・伝達端末を用いた場合の配信設定画面の例である。
【０１３０】
不正なＩＣ化一回券１０１０を用いて乗車する人間であっても、改札通過後に所望の方面行きのいずれかの列車に乗車すると考えられる。ここで、例えば、チェック・伝達端末３０６０を列車乗務員が保持する場合、列車の移動と共にチェック・伝達端末３０６０も移動することになる。このとき、チェック・伝達端末３０６０を乗せて移動する列車が、不正ＩＣ化一回券１０１０を保持した人間より先、または同時刻に駅に着き、無線通信等で不正ＩＣ化一回券１０１０を保持した人間が改札機３０２０に至る前に改札機側でチェック可能な状態とできれば不正検知が可能となる。以下では、このような列車と共にチェック・伝達端末３０６０が移動する状況における配信方法を示す。
【０１３１】
記号１００００は配信設定画面であり、図６の画面と同様に、不正利用検出装置３０００の管理者や担当職員、または、データセンタ３０５０の管理者や担当職員が利用するものであり、不正利用検出装置３０００はこの設定を基にチェック・伝達端末３０６０へＩＣ化一回券１０１０の発券時情報を配信する。
【０１３２】
記号１００１０は対象駅の設定であり、対象駅設定フォーム６０１０と同様に、設定の対象となる駅名が記載される。特に不正利用検出装置３０００の配信設定部３００４では、不正利用検出装置３０００が設置されている駅等、当該不正利用検出装置３０００が直接管理している発券機３０１０、改札機３０２０が存在する駅から選択が行え、データセンタ３０５０の配信設定変更部３０５１ではすべての駅を選択対象とできる。
【０１３３】
記号１００２０は配信対象設定であり、チェック・伝達端末３０６０に対して送信する内容を設定するためのフォームである。例えば、記号１００２１は発券時刻設定フォームであり、チェック・伝達端末３０６０に対して現在時刻以前に発券されたＩＣ化一回券１０１０の内、指定された時間範囲のものについて発券時情報の配信を行うものであり、また、記号１００２２は入場時刻設定フォームであり、現在時刻以前に入場したＩＣ化一回券１０１０の内、指定された時間範囲のものについて発券時情報の配信を行うものであり、また、記号１００２３は停車列車の本数で設定を行うフォームであり、前記１００２２の時間を当該駅ダイヤと関係付けて設定するものである。
【０１３４】
記号１００３０は配信設定を行うボタンであり、前記設定を一通り行った後に押下することで設定が記憶され、次回配信時からは設定内容に従い配信情報生成部３００５が配信内容を決定し配信を実行する。
【０１３５】
図１１はチェック・伝達端末３０６０を用いた、ＩＣ化一回券１０１０の発券時情報配信シーケンスの例である。このシーケンスはチェック・伝達端末を列車と共に移動するものとした場合の例であり、チェック・伝達端末３０６０が駅をまたがって移動することで、ＩＣ化一回券１０１０の発券時情報を配信できる。
【０１３６】
なお、以下シーケンスにおいて、前記画面１００００を用いた職員１１０１０の設定については前期記号７００１、７００２に記載の内容と同様のため説明を割愛する。また、ＩＣ化一回券ＩＤマスタ３０５４の配信についても７００３〜７００６のシーケンスと同様の操作をチェック・伝達端末１１０３０を配信先として行うものであるため説明を割愛する。
【０１３７】
記号１１０１０は不正利用検出装置の動作を示したものであり、不正利用検出装置３０００は無線ネットワーク等３０４０でチェック・伝達端末と接続し、ＩＣ化一回券１０１０の発券時情報の授受を行うことで、不正検出部３００３が利用する情報を得る。
【０１３８】
記号１１０２０はチェック・伝達端末の動作を示したものであり、チェック・伝達端末３０６０は無線ネットワーク等３０４０で不正利用検出装置３０００と接続し、ＩＣ化一回券１０１０の発券時情報の授受を行うことで、チェック・伝達端末３０６０内の不正検出部３０６３が利用する情報を得る。
【０１３９】
記号１１００１は本シーケンスの開始処理であり、無線ネットワーク３０４０等で接続されたチェック・伝達端末３０６０と各駅等に設置された不正利用検出装置３０００の接続が確立したことが確認されると以降の処理が開始される。
【０１４０】
記号１１００２は発券時情報配信内容作成の動作を表したものであり、不正利用検出装置１１０１０の配信情報生成部３００５が配信設定画面１００００等で設定した、配信設定部３００４の配信設定に従って発券時情報記憶部３００２の情報を配信するための情報を作成する。
【０１４１】
記号１１００３は発券時情報配信の動作を表したものであり、前記配信内容作成１１００２にて作成された情報を、チェック・伝達端末１１０２０に送信する。
【０１４２】
記号１１００４は発券時情報登録の動作を表したものであり、前記不正利用検出装置１１０１０からの発券時情報配信を受け、チェック・伝達端末３０６０内の発券時情報記憶部３０６２に受信した情報を登録する。
【０１４３】
記号１１００５は発券時情報取得要求を表したものであり、不正利用検出装置３０００からチェック・伝達端末３０６０に対して、チェック・伝達端末３０６０が保持している、ＩＣ化一回券１０１０の発券時情報を要求する動作である。この動作を契機として以降、記号１１００６〜記号１１００８までの処理を行うことで、チェック・伝達端末３０６０が前駅にて受け取ってきた、ＩＣ化一回券１０１０の発券時情報を各駅の不正利用端末３０００が利用することが可能となる。
【０１４４】
記号１１００６は発券時情報配信内容作成の動作を表したものであり、チェック・伝達端末１１０２０の発券時情報記憶部３０６２に保持された情報を配信するため、配信情報生成部３０６５にて送信情報を作成する。
【０１４５】
記号１１００７発券時情報配信の動作を表したものであり、前記配信内容作成１１００６にて作成された情報を、不正利用検出装置１１０１０に送信する。
【０１４６】
記号１１００８発券時情報登録の動作を表したものであり、前記チェック・伝達端末１１０２０からの発券時情報配信を受け、不正利用検出装置３０００内の発券時情報記憶部３００２に受信した情報を登録する。
【符号の説明】
【０１４７】
１００１  不正利用検出装置
１０４０  チェック・伝達端末
６０００  配信設定画面
１００００  配信設定画面
【図１】
2015176170.tif 000003
【図２】
2015176170.tif 000004
【図３】
2015176170.tif 000005
【図４】
2015176170.tif 000006
【図５】
2015176170.tif 000007
【図６】
2015176170.tif 000008
【図７】
2015176170.tif 000009
【図８】
2015176170.tif 000010
【図９】
2015176170.tif 000011
【図１０】
2015176170.tif 000012
【図１１】
2015176170.tif 000013